(57)【要約】【課題】レンチキュラ―の技術を用いて、箱入りホログラム人形の様に見せる人形を作る。【解決手段】直方体の箱に、レンチキュラ―技術によって、角度を変えて見せる３Ｄ画像を、正面、側面、背面から撮影して作り、見る角度によって正面と見える側の側面との画像が矛盾しない様に作って、その面に張り付ける事によって、ホログラム人形の様に見せる人形を作る。【選択図】図１
2016123830.tif 000002
【特許請求の範囲】
【請求項１】
完成品の箱を想定して被写体を、側面と正面から撮影又は、描いた画像でレンチキュラ―画像を作り、レンチキュラ―画像を正面と側面の両方が見える位置で見た時、側面の画像と、正面の画像が出来るだけ矛盾のない展開を見せる様にして正面と側面の画像を作り、張り付け、側面と正面が交わる部分に柱を設ける事で、死角を作って矛盾をごまかす様に箱を作る事で、立体感が、側面にも及ぶ、正面と側面にレンチキュラ―画像を張り付けた、レンチキラー手法と、そのレンチキュラ―画像を側面と正面に張り付けたインテリアないし飾り物。
【請求項２】
多角柱の各面に、それぞれ関係性、関連性のあるレンチキュラ―画像を張り付ける事で、どこからみても、インテリアとしての価値を有する物。また、それぞれの画像に関係性がなくても、それに、回転台を設ける事で、多彩な演出をするインテリア。
【請求項３】
直方体または多角柱の正面、背面、左右側面及び各斜めの面に、被写体を、正面から撮ったものは、正面に、側面から撮ったものは側面に、後ろから撮ったものは、背面に、斜めから撮ったものはその部位に張り付ける事で、箱の中に、被写体が入っている様に見えるインテリア、及び、そのレンチキュラ―手法
【請求項４】
一枚の板の正面と背面にレンチキュラ―画像を張り付けて回転台に取り付け、くるくる回す事で、画像が変わる、人形又は、インテリア。
【発明の詳細な説明】
【技術分野】
【０００１】レンチキュラ―技術とその技術を使ったホログラム人形に関する
【背景技術】
【０００２】見る角度に応じて画像を変えるレンチキュラ―技術はあった。レンチキュラ―による表情を変える人形はすでにあった。レンチキュラ―画像を正面及び側面に張り付けるアイデアは、実用新案出願２０１４−３６４０で出願されている。しかし、正面と側面の画像の関係性については、何も述べられておらず、また、正面と側面の両側から撮影された物を張り付けて立体感を側面にまで及ぶ事を想定したものではなく、単に正面と、側面に、花なら花のレンチキュラ―画像を張り付けただけのものである。
【先行技術文献】
【０００３】
【特許文献】
【特許文献】特許公表２０１２−５２５９２８  実用新案出願２０１４−３６４０
【発明の概要】
【発明が解決しようとする課題】
【０００４】レンチキュラ―を利用した人形やインテリアを作る。
【発明を解決する手段】
【０００５】底面を正方形とする、直方体の箱の四方面に、各正面、側面、背面から撮影又は、絵にした画像を、各面に張り付けた箱を見た時に、それぞれの面を正面とする、その面の、側面の見える画像が、正面と側面とで、矛盾の少ない画像にする事によって、その箱に被写体が、入っている様に見える様にする。また、画像が変わるレンチキュラ―を、一枚の板の正面と背面に、角度によって異なる画像が見えるレンチキラー画像を貼り付け、その板が回る様に回転台を付ける。
【発明の効果】
【０００６】低価格でホログラムの様な模倣人形が作れる。インテリアとして、飾れる。箱が透明になった様で、ちょっと不思議に見える。安価で愉快な回転人形が作れる。有名人の模倣人形が安易に作れる。
【発明実施の形態】
【実施例１】
【０００７】ホログラム人形の撮影方法であるが、レンチキュラ―人形の大きさや、見る距離によって、様々な見え方をするので、それらの、バランスで、どの撮影方法が良いかは、試してみないと、一様には、言えないが、その方法のひとつを、提示すると、箱を離れた位置から、眺めた時、箱に対する視線を平行と考えると、箱をたとえば、左に１５度回転させると、右側面のレンチキュラ―画像は、４５度から、３０度も余計に傾き７５度であるが、（図２）レンチキュラ―の画像の変化する最大の角度は、４５度有れば良い方だと考えた場合、左に傾けた画像の最後のカットが、見える事に成る。また、３０度回転させても、６０度で、最後の画像である。４５度以上傾けて、やっと４５度以下と成る。ところが、今度は、正面の方が、右に傾けて見える画像の最後の画像と成る。（図３）
そこで、撮影は、正面から傾斜角４５度までの撮影にする。また、回転すると、すぐに側面が見える位置になるので、側面の写る位置での画像を多用した方が良いと思われる。カット数は、レンチキュラ―画像に１２カットまで入れられる事は、判っているので、１２カット１ラインでレンチキュラ―画像を作る。正方形の中心から、一辺の３倍ほどの距離で円を描き、そこを立ち位置とし、正面だけしか見えない位置（１４）（１５）（２０）（２１）の側面がぎりぎり見えない位置（１５）（２１）と、斜め４５度の位置（１９）（２５）までを４分割し、正面から右に正面を入れて６カット（１４）（１５）（１６）（１７）（１８）（１９）、左に正面を入れて６カット（２０）（２１）（２２）（２３）（２４）（２５）ずつ撮影した画像（図４）をレンチキュラ―画像（図５）に用いて、各四方面を同様にしてレンチキュラ―画像を作り、各対応する面に貼り付け、矛盾の著しい側面と正面の接点を、柱（６）を巻いて隠す。そしてフタ（７）を付け、回転台（１００）を付ける。なお、箱の内外に、飾り（５）を設けて、リアル感を増す演出をすると、なお良い。また、箱を透明にして、中から電灯で照らしても良い。
【実施例２】動きのあるレンチキュラ―人形を作る場合、その動きの影響で、正面と側面の画像に矛盾が生じない範囲でアクションを付け、そのアクションを、四方から撮影する。また、アニメーションで、動きのある、被写体を、用いる。たとえば、ギターを持って椅子に座る被写体が、正面だけしか見えない位置の左端（２１）から４５度の手前の位置までの５カットで、振りおろし、６カット最後のカットで、振り切った所を、正面、右側面で写し、右側面の左の最後のカット（３１）から、側面から正面が見えない位置（２７）までは、静止させ、側面だけが見える位置（２７）（２６）（３３）で、振り上げる。あるいは、次の右側面までの４５度を使って振り上げる。次の側面では、背面となるので、矛盾は起きにくいが、背面の正面から、右４５度までで、振りおろし、実際には左側面に当たる面では、向かって左から正面だけしか見えない位置まで静止し、正面から右で振り上げる。正面の左は、振り上げた位置で静止し（２２）〜（２５）、最初の振り下ろすシーン（２１）（２０）、（１４）〜（１９）に帰る。
【実施例３】一枚の板の、前面と背面にたとえば、スリーアクション位のレンチキュラ―画像を張り付ける。これを、回転台（１００）に取り付け、回転させる事で、画像が変わる、マスコット人形や、インテリアとして用いる。
【実施例４】比較的大きく高級な物を正八角柱で作る。各側面と正面の間に、もうひとつ、斜めからの画面を設けて、正八角柱にする。こうする事で、より精密な、立体描写が、可能と成る。撮影図、図６を説明すると、正面の正面（４０）は、（４６）とで、レンチキュラ―レンズ内中央に左右に割り振り、右側に移動する時は、正面の画像と、右斜め側面の画像を分けて同時に撮る。正八角柱の―辺の４倍で中点から円を描き立ち位置とする。各面を正面とする、辺の両端から垂線を降ろし、そこを、正面の左右の第２番目の画像とし、同時に、右であれば、右側面の左の端の第一番目の画像（６５）とする。そして、正面右で有れば右側面の正面の左垂線（４５）までを４分割し、正面（４０）（４６）右（４１）〜（４５）、左（４７）〜（５１）の１２カットを正面レンチキュラ―画像とする。これを８方面全てで撮影を行って、各面に張り付ける。柱、フタと、回転台を付けて出来上がりである。
【図面の簡単な説明】
【図１】本発明のホログラム人形の斜頸図
【図２】人形を１５度回転させた時のレンチキュラ―の見える角度
【図３】人形を４５度回転させた時のレンチキュラ―の見える角度
【図４】撮影ポイントの図
【図５】レンチキュラ―レンズ内カット配列
【図６】正八角柱のレンチキュラ―人形撮影ポイントの図
【符号の説明】（１）  正面３Ｄ画像
（２）  側面左３Ｄ画像
（３）  側面右３Ｄ画像
（４）  背面３Ｄ画像
（５）  飾りの画像
（６）  柱
（７）  フタ、及び屋根
（８）  人形の回転角度１５度
（９）  側面レンチキュラ―の傾斜角度７５度
（１０）人形を見る視線
（１１）正面レンチキュラ―の傾斜角度１５度
（１２）側面レンチキュラ―の傾斜角度４５度
（１３）正面レンチキュラ―の傾斜角度４５度
（１４）正面のカット撮影
（１５）右側面がぎりぎり見えない位置での撮影ポイント
（１６）〜（１９）右側面の見える位置での撮影ポイント
（２０）正面の撮影左用
（２１）左側面のぎりぎり見えない位置での撮影ポイント
（２２）〜（２５）左側面の見える位置での撮影ポイント
（２６）〜（３１）右側面の正面から左の撮影ポイント
（３２）レンチキュラ―レンズ
（３３）右側面を正面とする右側面がぎりぎり見えない位置での撮影ポイント
（４０）八角柱正面の中央右の撮影
（４１）〜（４５）正面右と右斜め側面左の撮影
（４６）八角柱正面中央左の撮影
（４７）〜（５１）正面左と、左斜め側面右の撮影
（６０）右斜め側面正面中央左の撮影
（６１）〜（６５）右斜め側面左撮影
（６６）右斜め側面正面中央右の撮影
（６７）右斜め側面右撮影
（１００）回転台
【図１】
2016123830.tif 000003
【図２】
2016123830.tif 000004
【図３】
2016123830.tif 000005
【図４】
2016123830.tif 000006
【図５】
2016123830.tif 000007
【図６】
2016123830.tif 000008
【手続補正書】
【提出日】平成27年2月12日(2015.2.12)
【手続補正１】
【補正対象書類名】図面
【補正対象項目名】図５
【補正方法】変更
【補正の内容】
【図５】
2016123830.tif 000009
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
完成品の箱を想定して被写体を、側面と正面から撮影又は、描いた画像でレンチキュラ―画像を作り、レンチキュラ―画像を正面と側面の両方が見える位置で見た時、側面の画像と、正面の画像が出来るだけ矛盾のない展開を見せる様にして正面と側面の画像を作り、張り付け、側面と正面が交わる部分に柱を設ける事で、死角を作って矛盾をごまかす様に箱を作る事で、立体感が、側面にも及ぶ、正面と側面にレンチキュラ―画像を張り付けた、インテリアないし飾り物。
【請求項２】
多角柱の各面に、レンチキュラ―画像を張り付け、回転台を設ける事で、多彩な演出をするインテリア。
【請求項３】
直方体または多角柱の正面、背面、左右側面及び各斜めの面に、被写体を、正面から撮ったものは、正面に、側面から撮ったものは側面に、後ろから撮ったものは、背面に、斜めから撮ったものはその部位に張り付ける事で、箱の中に、被写体が入っている様に見えるインテリア。
【請求項４】
一枚の板の正面と背面にレンチキュラ―画像を張り付けて回転台に取り付け、くるくる回す事で、画像が変わる、人形又は、インテリア。